(57)【特許請求の範囲】
【請求項１】
基地局装置と通信を行なう移動局装置であって、
物理下りリンク制御チャネルを用いて送信が要求されるサウンディング参照信号に対する周波数ホッピングに関する情報が、無線リソース制御信号を用いて、前記基地局装置から送信される場合、
前記周波数ホッピングに関する情報に基づいて、前記サウンディング参照信号に対する周波数ホッピングが許可されていれば、前記物理下りリンク制御チャネルを用いて前記サウンディング参照信号の送信が要求される度に周波数ホッピングを行ない、前記サウンディング参照信号を前記基地局装置に送信し、
前記周波数ホッピングに関する情報に基づいて、前記サウンディング参照信号に対する周波数ホッピングが許可されていなければ、前記サウンディング参照信号の送信が要求される度に周波数ホッピングを行なわずに、前記サウンディング参照信号を前記基地局装置に送信することを特徴とする移動局装置。
【請求項２】
無線リソース制御信号を用いて、前記サウンディング参照信号に対する周波数ホッピングに関する情報と前記サウンディング参照信号に対する送信回数に関する情報とが、前記基地局装置から送信される場合、前記送信回数に関する情報に基づいて設定される送信回数に達するまで、前記周波数ホッピングに関する情報に基づいて、前記サウンディング参照信号に対して周波数ホッピングに関する処理を行ない、前記サウンディング参照信号の送信が要求される度に前記サウンディング参照信号を前記基地局装置に送信することを特徴とする請求項１記載の移動局装置。
【請求項３】
物理下りリンク制御チャネルを用いて、サウンディング参照信号の送信を要求する情報と物理上りリンク共用チャネルに対する送信電力制御コマンドに関する情報とが、前記基地局装置から同時に送信される場合、前記送信電力制御コマンドに関する情報に基づいて、前記サウンディング参照信号の送信を要求する情報によって送信が要求されるサウンディング参照信号に対する送信電力を制御し、前記サウンディング参照信号を前記基地局装置に送信することを特徴とする請求項１または請求項２に記載の移動局装置。
【請求項４】
物理下りリンク制御チャネルを用いて、サウンディング参照信号の送信を要求する情報と上りリンクコンポーネントキャリアを指示する情報とが、前記基地局装置から同時に送信される場合には、前記上りリンクコンポーネントキャリアを指示する情報に基づいて指示される上りリンクコンポーネントキャリアを用いて、前記サウンディング参照信号の送信を要求する情報によって送信が要求されるサウンディング参照信号を前記基地局装置に送信することを特徴とする請求項１から請求項３のいずれかに記載の移動局装置。
【請求項５】
移動局装置と通信を行なう基地局装置であって、
物理下りリンク制御チャネルを用いて送信を要求するサウンディング参照信号に対する周波数ホッピングに関する情報を、無線リソース制御信号を用いて、前記移動局装置に送信し、
前記サウンディング参照信号に対する送信回数を指示する情報を、無線リソース制御信号を用いて、前記移動局装置に送信することを特徴とする基地局装置。
【請求項６】
基地局装置と通信を行なう移動局装置の無線通信方法であって、
物理下りリンク制御チャネルを用いて送信が要求されるサウンディング参照信号に対する周波数ホッピングに関する情報が、無線リソース制御信号を用いて、前記基地局装置から送信される場合、
前記周波数ホッピングに関する情報に基づいて、前記サウンディング参照信号に対する周波数ホッピングが許可されていれば、前記物理下りリンク制御チャネルを用いて、前記サウンディング参照信号の送信が要求される度に、周波数ホッピングを行ないながら、前記サウンディング参照信号を前記基地局装置に送信するステップと、
前記周波数ホッピングに関する情報に基づいて、前記サウンディング参照信号に対する周波数ホッピングが許可されていなければ、前記サウンディング参照信号の送信が指示される度に、周波数ホッピングを行なわずに、前記サウンディング参照信号を前記基地局装置に送信するステップと、を含むことを特徴とする無線通信方法。
【請求項７】
無線リソース制御信号を用いて、前記サウンディング参照信号に対する周波数ホッピングに関する情報と前記サウンディング参照信号に対する送信回数を指示する情報とが、前記基地局装置から送信される場合、
前記送信回数に達するまで、前記周波数ホッピングに関する情報に基づいて、前記サウンディング参照信号に対して周波数ホッピングに関する処理を行なうステップと、
前記物理下りリンク制御チャネルを用いて前記サウンディング参照信号の送信が要求される度に、前記サウンディング参照信号を前記基地局装置に送信するステップと、を含む
ことを特徴とする請求項６記載の無線通信方法。
【請求項８】
物理下りリンク制御チャネルを用いて、サウンディング参照信号の送信を要求する情報と物理上りリンク共用チャネルに対する送信電力制御コマンドに関する情報とが、前記基地局装置から同時に送信される場合には、前記送信電力制御コマンドに関する情報に基づいて、前記サウンディング参照信号の送信を要求する情報によって送信が要求されるサウンディング参照信号に対する送信電力を制御し、前記サウンディング参照信号を前記基地局装置に送信するステップを含むことを特徴とする請求項６または請求項７に記載の無線通信方法。
【請求項９】
物理下りリンク制御チャネルを用いて、サウンディング参照信号の送信を要求する情報と上りリンクコンポーネントキャリアを指示する情報とが、前記基地局装置から同時に送信される場合には、前記上りリンクコンポーネントキャリアを指示する情報に基づいて指示される上りリンクコンポーネントキャリアを用いて、前記サウンディング参照信号の送信を要求する情報によって送信が要求されるサウンディング参照信号を前記基地局装置に送信するステップを含むことを特徴とする請求項６から請求項８のいずれかに記載の無線通信方法。
【発明の詳細な説明】
【技術分野】
【０００１】
本発明は、移動局装置と基地局装置から構成される無線通信システムに関し、特に、移動局装置のチャネル測定用の参照信号の送信制御方法に関する。
【背景技術】
【０００２】
従来から、セルラー移動通信の無線アクセス方式および無線ネットワークの進化（以下、「Long Term Evolution (LTE)」、または、「Evolved Universal Terrestrial Radio Access (EUTRA)」と称する。）、および、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）が、第三世代パートナーシッププロジェクト（3rd Generation Partnership Project; 3GPP）において検討されている。
【０００３】
ＬＴＥ−Ａでは、基地局装置が設定した周期的なタイミングで送信されるチャネル測定用の参照信号（P-SRS: Periodic Sounding Reference Signal）の他に、基地局装置から送信要求が通知された時にだけ送信されるチャネル測定用の参照信号（A-SRS: Aperiodic Sounding Reference Signal）が提案されている（非特許文献１）。
【先行技術文献】
【非特許文献】
【０００４】
【非特許文献１】“Channel sounding enhancements for LTE-Advanced”, R1-094653, 3GPP TSG-RAN1 Meeting#59, Jeju, Korea, Nov 9- 13, 2009
【発明の概要】
【発明が解決しようとする課題】
【０００５】
しかしながら、従来の技術において、基地局装置から物理下りリンク制御チャネルを使用して送信要求が通知された場合にのみ、移動局装置がチャネル測定用の参照信号Ａ−ＳＲＳを送信するだけでは、基地局装置は、上りリンクに関して十分なチャネル測定精度が得られない。また、移動局装置が、十分なチャネル測定精度が得られない参照信号を送信することは、上りリンク信号のリソースを無駄にするだけでなく、基地局装置においても効率的な周波数選択スケジューリングを行うことができなくなる。
【０００６】
また、基地局装置がチャネル測定用の参照信号の送信を要求する度に、物理下りリンク制御チャネルを使用してしては、下りリンク信号のリソースを無駄にしてしまい、基地局装置と移動局装置間で効率的な通信を行うことができない。
【０００７】
本発明は、上記の点を鑑みてなされたものであり、基地局装置から送信要求が通知された場合に、チャネル測定用の参照信号の効率的な送信と上りリンクのチャネル測定精度を向上することのできる移動局装置、基地局装置、無線通信システムおよび無線通信方法を提供することを目的とする。
【課題を解決するための手段】
【０００８】
（１）上記の目的を達成するために、本発明は、以下のような手段を講じた。すなわち、本発明の無線通信システムは、基地局装置と移動局装置から構成される無線通信システムであって、前記基地局装置は、チャネル測定用の参照信号の送信回数（Repetition number）を指示する情報を含んだ無線リソース制御信号（RRCシグナリング：Radio Resource Control Signaling）を前記移動局装置に送信し、前記参照信号の送信を指示する情報を含んだ物理下りリンク制御チャネルを前記移動局装置に送信し、前記移動局装置は、前記物理下りリンク制御チャネルに前記参照信号の送信を指示する情報が含まれている場合に、前記無線リソース制御信号に含まれる前記送信回数を指示する情報に従って、前記参照信号を前記送信回数に達するまで前記基地局装置に送信することを特徴としている。
【０００９】
このように、基地局装置は、移動局装置に対して１回の送信要求だけでＡ−ＳＲＳを所定の回数送信させることを指示することができ、上りリンクのチャネル測定精度を向上させることができる。
【００１０】
（２）本発明の無線通信システムは、基地局装置と移動局装置から構成される無線通信システムであって、前記基地局装置は、チャネル測定用の参照信号の送信回数を指示する情報を含んだ無線リソース制御信号を前記移動局装置に送信し、前記参照信号の周波数ホッピングを行うか否かを指示する情報を含んだ無線リソース制御信号を前記移動局装置に送信し、前記参照信号の送信を指示する情報を含んだ物理下りリンク制御チャネルを前記移動局装置に送信し、前記移動局装置は、前記物理下りリンク制御チャネルに前記参照信号の送信を指示する情報が含まれている場合に、前記無線リソース制御信号に含まれる前記送信回数を指示する情報と前記周波数ホッピングを指示する情報に従って、前記送信回数に達するまで周波数ホッピングを行いながら、前記参照信号を前記基地局装置に送信することを特徴としている。
【００１１】
このように、周波数ホッピングを適用することで、周波数ホッピングによる周波数ダイバーシティ効果と干渉の平均化効果を得ることができ、基地局装置は、効率的な周波数選択スケジューリングと上りリンクのチャネル測定精度を向上させることができる。
【００１２】
（３）本発明の無線通信システムは、基地局装置と移動局装置から構成される無線通信システムであって、前記基地局装置は、チャネル測定用の参照信号の送信回数を指示する情報を含んだ無線リソース制御信号を前記移動局装置に送信し、前記移動局装置がアンテナ選択を行うか否かを指示する情報を含んだ無線リソース制御信号を前記移動局装置に送信し、前記参照信号の送信を指示する情報を含んだ物理下りリンク制御チャネルを前記移動局装置に送信し、前記移動局装置は、前記物理下りリンク制御チャネルに前記参照信号の送信を指示する情報が含まれている場合に、前記無線リソース制御信号に含まれる前記送信回数を指示する情報と前記アンテナ選択を指示する情報に従って、前記送信回数に達するまでアンテナ選択を行いながら、前記参照信号を前記基地局装置に送信することを特徴としている。
【００１３】
このように、アンテナを切り替えながら、Ａ−ＳＲＳを所定の回数送信することで、アンテナ毎のチャネル測定精度を向上することができ、基地局装置は、移動局装置に対してより通信品質の良いアンテナを使用して通信を行うことを指示することができる。また、複数のアンテナのチャネル測定を行うことができるので、ＭＩＭＯ（Multiple Input Multiple Output）通信への切り替えを効率的に行うことができる。
【００１４】
（４）本発明の無線通信システムは、前記移動局装置が、前記参照信号を送信するサブフレームは、セル毎に設定されることを特徴としている。
【００１５】
（５）本発明の無線通信システムは、前記移動局装置が、前記参照信号を送信するサブフレームは、前記移動局装置毎に設定されることを特徴としている。
【００１６】
（６）本発明の無線通信システムは、前記移動局装置が、前記参照信号を送信するサブフレームは、前記セル毎に設定されるサブフレームと前記移動局装置毎に設定されるサブフレームが含まれることを特徴としている。
【００１７】
このように、Ａ−ＳＲＳを送信するサブフレームを指定することで、移動局装置は、よりフレキシブルなＡ−ＳＲＳ送信を行うことができる。
【００１８】
（７）本発明の基地局装置は、移動局装置と通信を行う基地局装置であって、チャネル測定用の参照信号の送信回数を指示する情報を含んだ無線リソース制御信号を前記移動局装置に送信する手段と、前記参照信号の送信を指示する情報を含んだ物理下りリンク制御チャネルを前記移動局装置に送信する手段と、を備えることを特徴としている。
【００１９】
このように、本発明の基地局装置は、１回の送信要求を行うことでＡ−ＳＲＳを所定の回数送信することを移動局装置に指示することができる。
【００２０】
（８）本発明の基地局装置は、移動局装置と通信を行う基地局装置であって、チャネル測定用の参照信号の送信回数を指示する情報を含んだ無線リソース制御信号を前記移動局装置に送信する手段と、前記参照信号の周波数ホッピングを行うか否かを指示する情報を含んだ無線リソース制御信号を前記移動局装置に送信する手段と、前記参照信号の送信を指示する情報を含んだ物理下りリンク制御チャネルを前記移動局装置に送信する手段と、を備えることを特徴としている。
【００２１】
このように、本発明の基地局装置は、１回の送信要求を行うことでＡ−ＳＲＳを周波数ホッピングを行いながら所定の回数送信することを移動局装置に指示することができる。
【００２２】
（９）本発明の基地局装置は、移動局装置と通信を行う基地局装置であって、チャネル測定用の参照信号の送信回数を指示する情報を含んだ無線リソース制御信号を前記移動局装置に送信する手段と、前記移動局装置がアンテナ選択を行うか否かを指示する情報を含んだ無線リソース制御信号を前記移動局装置に送信する手段と、前記参照信号の送信を指示する情報を含んだ物理下りリンク制御チャネルを前記移動局装置に送信する手段と、を備えることを特徴としている。
【００２３】
このように、本発明の基地局装置は、１回の送信要求を行うことでＡ−ＳＲＳをアンテナ選択（切り替え）を行いながら所定の回数送信することを移動局装置に指示することができる。
【００２４】
（１０）本発明の移動局装置は、基地局装置と通信を行う移動局装置であって、前記物理下りリンク制御チャネルに前記参照信号の送信を指示する情報が含まれている場合に、前記無線リソース制御信号に含まれる前記送信回数を指示する情報に従って、前記参照信号を前記送信回数に達するまで前記基地局装置に送信する手段を備えていることを特徴としている。
【００２５】
このように、本発明の移動局装置は、基地局装置からの１回の送信要求でＡ−ＳＲＳを所定の回数送信することができる。
【００２６】
（１１）本発明の移動局装置は、基地局装置と通信を行う移動局装置であって、前記物理下りリンク制御チャネルに前記参照信号の送信を指示する情報が含まれている場合に、前記無線リソース制御信号に含まれる前記送信回数を指示する情報と前記周波数ホッピングを指示する情報に従って、前記送信回数に達するまで周波数ホッピングを行いながら、前記参照信号を前記基地局装置に送信する手段を備えていることを特徴としている。
【００２７】
このように、本発明の移動局装置は、１回の送信要求でＡ−ＳＲＳを周波数ホッピングを行いながら所定の回数送信することができる。
【００２８】
（１２）本発明の移動局装置は、基地局装置と通信を行う移動局装置であって、前記物理下りリンク制御チャネルに前記参照信号の送信を指示する情報が含まれている場合に、前記無線リソース制御信号に含まれる前記送信回数を指示する情報と前記アンテナ選択を指示する情報に従って、前記送信回数に達するまでアンテナ選択を行いながら、前記参照信号を前記基地局装置に送信する手段を備えていることを特徴としている。
【００２９】
このように、本発明の移動局装置は、１回の送信要求でＡ−ＳＲＳをアンテナ選択（切り替え）を行いながら所定の回数送信することができる。
【００３０】
（１３）本発明の無線通信方法は、基地局装置と移動局装置から構成される無線通信システムの無線通信方法であって、前記基地局装置は、チャネル測定用の参照信号の送信回数を指示する情報を含んだ無線リソース制御信号を前記移動局装置に送信するステップと、前記参照信号の送信を指示する情報を含んだ物理下りリンク制御チャネルを前記移動局装置に送信するステップと、を少なくとも有し、前記移動局装置は、前記物理下りリンク制御チャネルに前記参照信号の送信を指示する情報が含まれている場合に、前記無線リソース制御信号に含まれる前記送信回数を指示する情報に従って、前記参照信号を前記送信回数に達するまで前記基地局装置に送信するステップと、を少なくとも有していることを特徴としている。
【００３１】
このように、本発明の無線通信方法は、基地局装置からの１回の送信要求で移動局装置がＡ−ＳＲＳを所定の回数送信することができる。
【００３２】
（１４）本発明の無線通信方法は、基地局装置と移動局装置から構成される無線通信システムの無線通信方法であって、前記基地局装置は、チャネル測定用の参照信号の送信回数を指示する情報を含んだ無線リソース制御信号を前記移動局装置に送信するステップと、前記参照信号の周波数ホッピングを行うか否かを指示する情報を含んだ無線リソース制御信号を前記移動局装置に送信するステップと、前記参照信号の送信を指示する情報を含んだ物理下りリンク制御チャネルを前記移動局装置に送信するステップと、を少なくとも有し、前記移動局装置は、前記物理下りリンク制御チャネルに前記参照信号の送信を指示する情報が含まれている場合に、前記無線リソース制御信号に含まれる前記送信回数を指示する情報と前記周波数ホッピングを指示する情報に従って、前記送信回数に達するまで周波数ホッピングを行いながら、前記参照信号を前記基地局装置に送信するステップと、を少なくとも有していることを特徴としている。
【００３３】
このように、本発明の無線通信方法は、基地局装置からの１回の送信要求で移動局装置がＡ−ＳＲＳを所定の回数、周波数ホッピングを行いながら送信することができる。
【００３４】
（１５）本発明の無線通信方法は、基地局装置と移動局装置から構成される無線通信システムの無線通信方法であって、前記基地局装置は、チャネル測定用の参照信号の送信回数を指示する情報を含んだ無線リソース制御信号を前記移動局装置に送信するステップと、前記移動局装置がアンテナ選択を行うか否かを指示する情報を含んだ無線リソース制御信号を前記移動局装置に送信するステップと、前記参照信号の送信を指示する情報を含んだ物理下りリンク制御チャネルを前記移動局装置に送信するステップと、を少なくとも有し、前記移動局装置は、前記物理下りリンク制御チャネルに前記参照信号の送信を指示する情報が含まれている場合に、前記無線リソース制御信号に含まれる前記送信回数を指示する情報と前記アンテナ選択を指示する情報に従って、前記送信回数に達するまでアンテナ選択を行いながら、前記参照信号を前記基地局装置に送信するステップと、を少なくとも有していることを特徴としている。
【００３５】
このように、本発明の無線通信方法は、基地局装置からの１回の送信要求で移動局装置がＡ−ＳＲＳを所定の回数、アンテナ選択（切り替え）を行いながら送信することができる。
【発明の効果】
【００３６】
本発明によれば、基地局装置から移動局装置に送信要求が通知された場合にのみ送信されるチャネル測定用の参照信号の効率的な送信方法と上りリンクのチャネル測定精度を向上することのできる移動局装置、基地局装置、無線通信システムおよび無線通信方法を提供することができる。
【図面の簡単な説明】
【００３７】
【図１】本発明の基地局装置１の概略機能構成を示すブロック図である。
【図２】本発明の移動局装置３の概略機能構成を示すブロック図である。
【図３】本発明の第１の実施形態におけるＡ−ＳＲＳ送信のためのシグナリングの一例を示した図である。
【図４】本発明の第２の実施形態におけるＡ−ＳＲＳ送信のためのシグナリングの一例を示した図である。
【図５】本発明の第３の実施形態におけるＡ−ＳＲＳ送信のためのシグナリングの一例を示した図である。
【図６】本発明におけるＳＲＳのリソース割り当てと周波数ホッピング（FH: Frequency Hopping）の概略構成を示す図である。
【発明を実施するための形態】
【００３８】
各実施形態の具体的な説明に入る前に、本発明で用いられる通信技術の概要について簡単に説明する。
【００３９】
（物理チャネル）
本発明に使用される物理チャネルには、物理報知チャネル、物理下りリンク共用チャネル、物理下りリンク制御チャネル、下りリンク参照信号、物理上りリンク共用チャネル、物理上りリンク制御チャネル、物理ランダムアクセスチャネル、上りリンク参照信号などが含まれる。なお、異なる物理チャネルの種類が上記物理チャネルに追加されても後述する本発明の各実施形態は適用できる。
【００４０】
物理報知チャネル（PBCH: Physical Broadcast Channel）は、セル内の移動局装置で共通に用いられる制御パラメータ（報知情報）を通知する目的で送信される。物理報知チャネルで通知されない報知情報は、物理下りリンク制御チャネルでリソースが通知され、物理下りリンク共用チャネルを用いて送信される。報知情報として、セル個別のＩＤ（Identity）を示すセルグローバルＩＤなどが通知される。ＰＢＣＨは、４０ミリ秒間隔で報知チャネル（BCH: Broadcast Channel）がマッピングされる。４０ミリ秒のタイミングは、移動局装置においてブラインド検出（blind detection）される。すなわち、物理報知チャネルのタイミング提示のために、移動局装置に対して明示的なシグナリングは送信されない。また、物理報知チャネル（PBCH）を含むサブフレームは、そのサブフレームだけで復号できる（自己復号可能：self-decodable）。
【００４１】
物理下りリンク制御チャネル（PDCCH: Physical Downlink Control Channel）は、基地局装置から移動局装置へ送信される下りリンクチャネルであり、物理下りリンク共用チャネル（PDSCH: Physical Downlink Shared Channel）のリソース割り当て、下りリンクデータ（DL-SCH: Downlink-Shared Channel、下りリンク共用チャネル）に対するハイブリッド自動再送要求（ＨＡＲＱ）情報、および、物理上りリンク共用チャネル（PUSCH: Physical Uplink Shared Channel）のリソース割り当てである上りリンク送信許可（上りリンクグラント）を移動局装置に通知するために使用されるチャネルである。
【００４２】
物理下りリンク共用チャネル（PDSCH: Physical Downlink Shared Channel）は、下りリンクデータ（DL-SCH: Downlink-Shared Channel、下りリンク共用チャネル）またはページング情報を送信するために使用されるチャネルである。
【００４３】
下りリンク参照信号（DL-RS: Downlink Reference Signal、またはCell-specific Reference Signal）は、基地局装置から移動局装置へ下りリンクを利用して送信される。移動局装置は下りリンク参照信号を測定することで下りリンクの受信品質を判定する。受信品質は、品質情報指標であるＣＱＩ（Channel Quality Indicator：チャネル品質指標）として物理上りリンク制御チャネル（PUCCH: Physical Uplink Control Channel）または物理上りリンク共用チャネル（PUSCH: Physical Uplink Shared Channel）を用いて基地局装置へ通知される。基地局装置は移動局装置から通知されたＣＱＩに基づいて、移動局装置に対する下りリンク通信のスケジューリングを行う。なお、受信品質としては、ＳＩＲ（Signal-to-Interference Ratio：信号対干渉電力比）、ＳＩＮＲ（Signal-to-Interference plus Noise Ratio：信号対干渉雑音電力比）、ＳＮＲ（Signal-to-Noise Ratio：信号対雑音電力比）、ＣＩＲ（Carrier-to-Interference Ratio：搬送波対干渉電力比）、ＢＬＥＲ（Block Error Rate：ブロック誤り率）、パスロスなどを使用することができる。
【００４４】
物理上りリンク共用チャネル（PUSCH: Physical Uplink Shared Channel）は、主に上りリンクデータ（UL-SCH: Uplink Shared Channel、上りリンク共用チャネル）を送信するために使用されるチャネルである。基地局装置が、移動局装置をスケジューリングした場合には、チャネル状態情報（下りリンクのチャネル品質指標（CQI: Channel Quality Indicator）、プレコーディングマトリックス指標（PMI: Precoding Matrix Indicator）、ランク指標（RI: Rank Indicator））や下りリンク送信に対するハイブリッド自動再送要求（HARQ: Hybrid Automatic Repeat Request）の肯定応答（ACK: Acknowledgement）／否定応答（NACK: Negative Acknowledgement）も物理上りリンク共用チャネル（PUSCH）を使用して送信される。ここで、上りリンクデータ（UL-SCH）とは、例えば、ユーザデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングが利用可能である。ＵＬ−ＳＣＨは、動的なリソース割り当て、および、準静的なリソース割り当てがサポートされる。
【００４５】
物理上りリンク制御チャネル（PUCCH: Physical Uplink Control Channel）は、制御データを送信するために使用されるチャネルである。ここで制御データとは、例えば、移動局装置から基地局装置へ送信（フィードバック）されるチャネル状態情報（CQI、PMI、RI）、移動局装置が、上りリンクデータを送信するためのリソースの割り当てを要求する（UL-SCHでの送信を要求する）スケジューリング要求（SR: Scheduling Request）、下りリンク送信に対するＨＡＲＱのＡＣＫ／ＮＡＣＫなどが含まれる。
【００４６】
上りリンク参照信号（UL-RS: Uplink Reference Signal）は、移動局装置から基地局装置へ送信される。ＵＬ−ＲＳには、サウンディング参照信号（SRS: Sounding Reference Signal）とデモジュレーション参照信号（DM-RS: Demodulation Reference Signal）とがある。チャネル測定用の参照信号であるサウンディング参照信号は、基地局装置が測定することで、移動局装置の上りリンク無線送信信号の受信品質の判断をし、受信品質に基づく上りリンクのスケジューリングや上りリンクタイミング同期の調整に用いられる。また、デモジュレーション参照信号は、物理上りリンク共用チャネルと共に送信され、物理上りリンク共用チャネルの信号の振幅、位相や周波数の変動量を計算し、物理上りリンク共用チャネルを利用して送信された信号を復調するための参照信号としても使用される。ＤＭ−ＲＳの送信帯域幅は、ＰＵＳＣＨの送信帯域幅と一致するが、ＳＲＳの送信帯域幅は、ＤＭ−ＲＳとは独立に設定される。すなわち、ＳＲＳの送信帯域幅はＰＵＳＣＨの送信帯域幅と必ずしも一致せず、基地局装置によって予め設定される。また、ＳＲＳには、時間軸方向に対して周波数ホッピングが適用される。ＳＲＳは、周波数ホッピングを用いることで周波数ダイバーシティ効果と干渉の平均化効果が得られる。チャネル測定用の第１の参照信号（A-SRS: Aperiodic SRS）は、基地局装置が送信を要求した場合に送信されるチャネル測定用の参照信号であり、第１の参照信号を送信するサブフレームは、基地局装置によって物理下りリンク制御チャネルを使用して設定されても良いし、無線リソース制御信号（RRCシグナリング）を使用して設定されても良い。また、チャネル測定用の第２の参照信号（P-SRS: Periodic SRS）は、基地局装置が予め設定した送信周期に応じて送信されるチャネル測定用の参照信号であり、第２の参照信号を送信するサブフレームは、基地局装置によって無線リソース制御信号を使用して設定されても良いし、報知チャネルを使用して設定されても良い。また、第１の参照信号と第２の参照信号それぞれの送信周期や送信帯域幅などのＳＲＳのパラメータに関する設定情報は、基地局装置で予め設定されてから無線リソース制御信号に含まれて移動局装置に送信されても良い。また、チャネル測定用の参照信号を送信するサブフレーム（第１の参照信号、第２の参照信号を送信するサブフレームそれぞれ）は、セル毎に設定しても良いし、移動局装置毎に設定しても良いし、コンポーネントキャリア毎に設定しても良いし、第１の参照信号と第２の参照信号を送信するサブフレームは、同じサブフレームを使用して送信しても良いし、異なるサブフレームを使用して送信しても良い。例えば、基地局装置は、第１の参照信号を送信するサブフレームを移動局装置毎に設定し、第２の参照信号を送信するサブフレームをセル毎に設定しても良い。
【００４７】
物理ランダムアクセスチャネル（PRACH: Physical Random Access Channel）は、ランダムアクセスプリアンブルを送信するために使用される物理チャネルであり、ガードタイムを持つ。ＰＲＡＣＨは、移動局装置が基地局装置と同期をとることを最大の目的とし、その他に、初期アクセス、ハンドオーバ、再接続要求、およびスケジューリング要求に用いられる。
【００４８】
スケジューリング要求は、移動局装置が基地局装置に対して、物理上りリンク共用チャネルのリソースの割り当てを要求する情報である。移動局装置は、自装置のバッファに送信する情報データが溜まってきて、物理上りリンク共用チャネルのリソース割り当てを要求する場合に、スケジューリング要求を送信する。また、移動局装置は、予め基地局装置より割り当てられた物理上りリンク制御チャネルを用いて、スケジューリング要求を基地局装置に送信する。なお、基地局装置は、移動局装置との通信接続開始時に、その移動局装置がスケジューリング要求を配置するための周期的なリソースを割り当てる。
【００４９】
（ＳＲＳのリソース割り当ておよび周波数ホッピング）
図６は、ＳＲＳのリソース割り当てと周波数ホッピング（FH: Frequency Hopping）の概略構成を示す図である。同図において横軸は時間であり、縦軸は周波数である。同図左側は、ＳＲＳのリソース割り当ての一例を示している。同図左側の例において、時間軸方向に１４個のシンボルが並んでいる。７個のシンボルが１スロットに相当し、１スロットの長さは０．５ミリ秒（ms）である。また、１４個のシンボル（２スロットに相当）が１サブフレームに相当し、１サブフレームの長さは１ミリ秒である。このように１サブフレームが１４シンボルで構成される上りリンク信号において、例えば、ＳＲＳは１４番目のシンボルに割り当てられる。１４番目のシンボルに割り当てられるＳＲＳのリソース（周波数方向の帯域幅）は、上りリンクシステム帯域幅や移動局装置の送信電力に応じて、設定される。また、ＰＲＡＣＨは送信するメッセージの種類やフォーマットに応じて、帯域幅や時間シンボル長を変更して割り当てることができる。
【００５０】
また、時間軸方向に対しては、送信する度に周波数位置を変更する周波数ホッピングが適用される。同図右側は、ＳＲＳの周波数ホッピングの一例を示す。同図右側において、送信周期Ｔ毎にＳＲＳが送信されるが、図に示すように、周期Ｔ毎に（つまり送信する度に）周波数方向にホッピングを行う。
【００５１】
＜第１の実施形態＞
第１の実施形態について以下に説明する。第１の実施形態では、基地局装置１は、チャネル測定用の参照信号の送信回数を指示する情報を含んだ無線リソース制御信号を移動局装置３に送信し、参照信号の送信を指示する情報を含んだ物理下りリンク制御チャネルを移動局装置３に送信する。移動局装置３は、無線リソース制御信号に含まれる前記送信回数を指示する情報に従って、参照信号の送信回数を設定し、物理下りリンク制御チャネルに参照信号の送信を指示する情報が含まれている場合に、参照信号を基地局装置１に送信する。第１の実施形態では、ＰＤＣＣＨにＡ−ＳＲＳの送信を指示する情報が含まれている場合に、移動局装置３は、Ａ−ＳＲＳを所定の回数送信することができる。
【００５２】
図１は、本発明の基地局装置１の概略機能構成を示すブロック図である。基地局装置１は、送信部１０１と、受信部１０３と、スケジューリング部１０５と、上位層１０７と、アンテナ１０９とを含んでいる。送信部１０１は、データ制御部１０１１と、変調部１０１３と、無線送信部１０１５とを含んでいる。また、受信部１０３は、無線受信部１０３１と、復調部１０３３と、データ抽出部１０３５とを含んでいる。データ制御部１０１１は、ユーザデータと制御データとを入力し、スケジューリング部１０５からの指示により、制御データをＰＤＣＣＨに配置し、各移動局装置３に対する送信データや制御データをＰＤＳＣＨに配置する。変調部１０１３は、データ変調、入力信号の直列／並列変換、ＩＦＦＴ、ＣＰ挿入、フィルタリングなどの信号処理を行い、送信信号を生成する。無線送信部１０１５は、変調されたデータを無線周波数にアップコンバードした後に、アンテナ１０９を介して、移動局装置３に送信する。
【００５３】
無線受信部１０３１は、移動局装置３からの上りリンクの信号を受信し、ベースバンド信号にダウンコンバートして、受信データを復調部１０３３に出力する。データ抽出部１０３５は、受信データの正誤を確認し、確認結果をスケジューリング部１０５に通知する。データ抽出部１０３５は、受信データが正しい場合、受信データをユーザデータと制御データに分離する。データ抽出部１０３５は、制御データの中で下りリンクのチャネル品質指示情報、下りリンクデータの成／否（ACK/NACK）などの第２層の制御データはスケジューリング部１０５に出力し、その他の第３層等の制御データとユーザデータは上位層１０７に出力する。データ抽出部１０３５は、受信データが誤りの場合、再送データと合成するために保存しておき、再送データを受信した時に合成処理を行う。
【００５４】
スケジューリング部１０５は、ユーザデータや制御データをＰＤＳＣＨやＰＤＣＣＨに配置するためのスケジューリングを行う。
【００５５】
上位層１０７は、媒体アクセス制御（MAC: Medium Access Control）層、無線リンク制御（RLC: Radio Link Control）層、パケットデータ収束プロトコル（PDCP: Packet Data Convergence Protocol）層、無線リソース制御（RRC: Radio Resource Control）層の処理を行う。上位層１０７は、下位層の処理部を統合して制御するため、上位層１０７と、スケジューリング部１０５、アンテナ１０９、送信部１０１、受信部１０３との間のインターフェースが存在する（ただし、図示しない）。
【００５６】
上位層１０７は、無線リソース制御部１０７１（制御部とも言う。）を有している。また、無線リソース制御部１０７１は、各種設定情報の管理、システム情報の管理、ページング制御、各移動局装置の通信状態の管理、ハンドオーバなどの移動管理、移動局装置毎のバッファ状況の管理、ユニキャストおよびマルチキャストベアラの接続設定の管理、移動局識別子（ＵＥＩＤ）の管理などを行っている。また、上位層１０７は、別の基地局装置への情報および上位ノードへの情報の授受を行う。
【００５７】
図２は、本発明の移動局装置３の概略機能構成を示すブロック図である。移動局装置３は、送信部２０１と、受信部２０３と、スケジューリング部２０５と、上位層２０７と、アンテナ２０９とを含んでいる。送信部２０１は、データ制御部２０１１と、変調部２０１３と、無線送信部２０１５とを含んでいる。また、受信部２０３は、無線受信部２０３１と、復調部２０３３と、データ抽出部２０３５とを含んでいる。
【００５８】
ユーザデータと制御データは、上位層２０７からデータ制御部２０１１に入力される。データ制御部２０１１は、入力されたデータをスケジューリング部２０５からの指示により、ＰＵＳＣＨやＰＵＣＣＨに配置する。変調部２０１３は、ＰＵＳＣＨやＰＵＣＣＨのデータ変調を行い、無線送信部２０１５に出力する。無線送信部２０１５は、変調されたデータと上りリンク参照信号を離散フーリエ変換（DFT: Discrete Fourier Transform）、サブキャリアマッピング、逆高速フーリエ変換（IFFT: Inverse Fast Fourier Transform）、ＣＰ（Cyclic Prefix）挿入、フィルタリングなどの信号処理を行い、送信信号を生成し、無線周波数にアップコンバートした後に、アンテナ２０９を介して、基地局装置１に送信する。
【００５９】
無線受信部２０３１は、基地局装置１からの下りリンク信号を受信し、ベースバンド信号にダウンコンバートして、受信信号を復調部２０３３に出力する。復調部２０３３は、受信データを復調する。データ抽出部２０３５は、受信データをユーザデータと制御データに分離する。また、データ抽出部２０３５は、スケジューリング情報、ランダムアクセス応答メッセージや間欠受信制御に関する制御データやその他の第２層の制御データはスケジューリング部２０５に出力し、ユーザデータを上位層２０７に出力する。
【００６０】
スケジューリング部２０５は、データ抽出部２０３５から入力された制御データを解析し、上りリンクのスケジューリング情報を生成し、そのスケジューリング情報を基に、ユーザデータや制御データをＰＵＳＣＨやＰＵＣＣＨに割り当てることをデータ制御部２０１１に指示する。
【００６１】
また、スケジューリング部２０５は、参照信号制御部２０５１を含んでいる。参照信号制御部２０５１は、基地局装置から送信されたスケジューリング情報を基に、ＳＲＳ設定情報を取り出す。ＳＲＳ設定情報を基に、第１の参照信号（A-SRS）と第２の参照信号（P-SRS）の各種パラメータを設定する。また、チャネル測定用の第１の参照信号と第２の参照信号と物理上りリンク制御チャネルが同じタイミングで生じた場合の送信制御を行い、ＳＲＳ送信制御情報を生成する。参照信号制御部２０５１は、ＳＲＳ設定情報とＳＲＳ送信制御情報を参照信号生成部２０６に出力する。
【００６２】
参照信号生成部２０６は、参照信号制御部２０５１から入力されたＳＲＳ設定情報およびＳＲＳ送信制御情報を基に、第１の参照信号および／または第２の参照信号を生成し、無線送信部２０１５に出力する。
【００６３】
上位層２０７は、媒体アクセス制御（MAC: Medium Access Control）層、無線リンク制御（RLC: Radio Link Control）層、パケットデータ収束プロトコル（PDCP: Packet Data Convergence Protocol）層、無線リソース制御（RRC: Radio Resource Control）層の処理を行う。上位層２０７は、下位層の処理部を統合して制御するため、上位層２０７と、スケジューリング部２０５、アンテナ２０９、送信部２０１、受信部２０３との間のインターフェースが存在する（ただし、図示しない）。
【００６４】
上位層２０７は、無線リソース制御部２０７１（制御部とも言う）を有している。無線リソース制御部２０７１は、各種設定情報の管理、システム情報の管理、ページング制御、自局の通信状態の管理、ハンドオーバなどの移動管理、バッファ状況の管理、ユニキャストおよびマルチキャストベアラの接続設定の管理、移動局識別子（UEID）の管理を行う。
【００６５】
図３は、本発明の第１の実施形態におけるＡ−ＳＲＳ送信のためのシグナリングの一例を示した図である。まず、基地局装置１は、移動局装置３にＡ−ＳＲＳ設定情報を含む無線リソース制御信号を送信する（ステップＳ１０１）。また、基地局装置１は、移動局装置３にＡ−ＳＲＳの送信回数（例えば、送信回数５回）を指示する情報を含む無線リソース制御信号を送信する（ステップＳ１０２）。移動局装置３は、基地局装置１から送信された無線リソース制御信号に含まれるＡ−ＳＲＳの設定情報に従って、Ａ−ＳＲＳの各種パラメータ（送信回数も含む）を設定する。さらに、基地局装置１からＡ−ＳＲＳの送信を指示する情報を含むＰＤＣＣＨが移動局装置３に送信された場合（ステップＳ１０３）、移動局装置３は、設定された送信回数に達するまでＡ−ＳＲＳを基地局装置１に送信する（ステップＳ１０４）。ここで、ＰＤＣＣＨには、Ａ−ＳＲＳ送信のためのＴＰＣコマンド（Transmission Power Control; 送信電力制御）が含まれる。すなわち、移動局装置３は、ＰＤＣＣＨに含まれるＴＰＣコマンドに従って、Ａ−ＳＲＳを基地局装置１に送信する。ここで、Ａ−ＳＲＳの送信回数を指示する情報は、Ａ−ＳＲＳ設定情報に含まれていても良い。また、ＳＲＳ設定情報で設定されるパラメータとは、Ａ−ＳＲＳ送信のための送信帯域幅や送信周期、Ｐ−ＳＲＳ送信のための送信帯域幅や送信周期などである。また、この時、移動局装置３は、基地局装置１から複数アンテナによる同時送信を指示されていたら、複数のアンテナから同時にＡ−ＳＲＳを送信しても良い。さらに移動局装置は、送信回数に達する前に、新たにＡ−ＳＲＳの送信を指示する情報が含まれたＰＤＣＣＨを受信した場合、新たに受信したＰＤＣＣＨに含まれる情報を無視して、送信回数に達するまでＡ−ＳＲＳを送信しても良いし、すでに送信中のＡ−ＳＲＳの送信を停止し、移動局装置３がＡ−ＳＲＳを送信した回数をリセットして、基地局装置１から新たに送信要求されたＡ−ＳＲＳを送信回数に達するまで基地局装置１に送信し直しても良い。
【００６６】
移動局装置３は、Ａ−ＳＲＳが送信回数に達する前に、Ｐ−ＳＲＳと同じタイミングで同じコンポーネントキャリアに配置された場合、Ｐ−ＳＲＳをドロップして（送信せずに）、Ａ−ＳＲＳを基地局装置１に送信する。ここで、Ａ−ＳＲＳとＰ−ＳＲＳが同じタイミングで配置されるとは、図６左図を用いて説明すると、基地局装置１によってＡ−ＳＲＳの送信とＰ−ＳＲＳの送信とが指示された１４番目のシンボル（射線部）に、１つの移動局装置３がＡ−ＳＲＳとＰ−ＳＲＳを同時に配置して送信することであり、シンボル単位で送信タイミングが一致していることを指している。移動局装置３は、１４番目のシンボルでＡ−ＳＲＳとＰ−ＳＲＳが同じタイミングで配置されるか否かを判定することができる。
【００６７】
ここで、基地局装置１は、Ａ−ＳＲＳを送信するサブフレームを、セル毎に設定しても良いし、移動局装置毎に設定しても良い。また、Ａ−ＳＲＳを送信するサブフレームは、セル毎に設定したサブフレームと移動局装置毎に設定したサブフレームが含まれても良い。また、複数のコンポーネントキャリアを使用して通信を行う無線通信システムにおいて、基地局装置１は、コンポーネントキャリア毎にＡ−ＳＲＳを送信するサブフレームを設定しても良い。ＭＩＭＯ（Multiple Input Multiple Output）通信のような複数のアンテナを使用して通信を行う無線通信システムにおいて、基地局装置１は、アンテナ毎にＡ−ＳＲＳを送信するサブフレームを設定しても良い。
【００６８】
また、複数のコンポーネントキャリアを使用して基地局装置１と通信を行う移動局装置３においては、ＰＤＣＣＨにＡ−ＳＲＳの送信を指示する情報とともに、ＰＵＳＣＨを送信する上りリンクコンポーネントキャリアを指示する情報が含まれる場合、移動局装置３は、コンポーネントキャリアを指示する情報に従って、ＰＵＳＣＨを送信する上りリンクコンポーネントキャリアと同じ上りリンクコンポーネントキャリアを使用してＡ−ＳＲＳを送信する。すなわち、Ａ−ＳＲＳ設定情報、Ａ−ＳＲＳの送信回数を指示する情報を含む無線リソース制御信号を基地局装置から受信した移動局装置は、ＰＵＳＣＨを送信する上りリンクコンポーネントキャリアと同じ上りリンクコンポーネントキャリアを使用して、設定された送信回数に達するまで、Ａ−ＳＲＳを送信する。この際、Ａ−ＳＲＳ送信に対するパラメータは、ＰＵＳＣＨを送信する上りリンクコンポーネントキャリアと同じ上りリンクコンポーネントキャリアに対して設定されたパラメータが使用される。例えば、ＰＤＣＣＨに含まれるＴＰＣコマンドは、ＰＤＣＣＨが指示する上りリンクコンポーネントキャリアのＰＵＳＣＨの送信とＡ−ＳＲＳの送信に適用される。
【００６９】
ここで、コンポーネントキャリアは、連続な周波数帯域に配置されていても、不連続な周波数帯域に配置されていても良く、基地局装置と移動局装置は、連続および／または不連続な周波数帯域である複数のコンポーネントキャリアを集約することによって、広帯域なシステム帯域（周波数帯域）を構成し、これら複数のコンポーネントキャリアを複合的に使用することによって、高速なデータ通信（情報の送受信）を実現することができる。さらに、コンポーネントキャリアによって構成される下りリンクの周波数帯域と上りリンクの周波数帯域は、同じ帯域幅である必要はなく、基地局装置１と移動局装置３は、コンポーネントキャリアによって構成される異なる帯域幅を持った下りリンクの周波数帯域、上りリンクの周波数帯域を複合的に使用して通信を行うことができる（非対称周波数帯域集約：Asymmetric carrier aggregation）。
【００７０】
このように、本発明の第１の実施形態ではＰＤＣＣＨにＡ−ＳＲＳの送信を指示する情報が含まれている場合に、移動局装置３は、Ａ−ＳＲＳを所定の回数送信することができる。ここで、所定の回数とは、基地局装置１で予め設定されたＡ−ＳＲＳの送信回数のことである。
【００７１】
本発明の第１の実施形態によれば、ＰＤＣＣＨにＡ−ＳＲＳの送信を指示する情報が含まれている場合に、Ａ−ＳＲＳを所定の回数送信することで上りリンクのチャネル測定精度を向上することができる。また、１回の通知でＡ−ＳＲＳを複数回数送信することができるので、Ａ−ＳＲＳ送信要求を行うためのシグナリングを削減でき、効率的なＡ−ＳＲＳの送信を行うことができる。
【００７２】
＜第２の実施形態＞
次に第２の実施形態について説明する。第２の実施形態では、基地局装置１は、Ａ−ＳＲＳの送信回数を指示する情報を含めた無線リソース制御信号を移動局装置３に送信し、Ａ−ＳＲＳを周波数ホッピングするか否かを指示する情報を含めた無線リソース制御信号を移動局装置３に送信し、Ａ−ＳＲＳの送信を指示する情報を含めた物理下りリンク制御チャネルを移動局装置３に送信する。移動局装置３は、無線リソース制御信号に含まれるＡ−ＳＲＳの送信回数を指示する情報に従って、Ａ−ＳＲＳの送信回数を設定し、無線リソース制御信号に含まれるＡ−ＳＲＳの周波数ホッピングを行うか否かを指示する情報に従って、周波数ホッピングを行うか否かを設定し、物理下りリンク制御チャネルにＡ−ＳＲＳの送信を指示する情報が含まれている場合、基地局装置１にＡ−ＳＲＳに送信する。
【００７３】
第２の実施形態における機器の機能構成は、第１の実施形態において示したものと同様であるので、ここではその説明を省略する。第２の実施形態では、移動局装置３にＡ−ＳＲＳの送信要求が通知された場合に、周波数ホッピングをしつつ、Ａ−ＳＲＳが複数回送信されることで、よりチャネル測定精度を向上させることができる。周波数ホッピングを適用することで、１度に送信するＳＲＳの送信帯域幅を狭くすることができる。また、１サブキャリア当たりの送信電力を高くすることができ、周波数ホッピングによる周波数ダイバーシティ効果と干渉の平均化効果を得ることができるため、チャネル測定精度を向上させることができる。
【００７４】
図４は、本発明の第２の実施形態におけるＡ−ＳＲＳ送信のためのシグナリングの一例を示した図である。基地局装置１から移動局装置３にＡ−ＳＲＳ設定情報を含む無線リソース制御信号を送信する（ステップＳ２０１）。基地局装置１から移動局装置にＡ−ＳＲＳの送信回数（例えば、送信回数５回）を指示する情報を含む無線リソース制御信号を送信する（ステップＳ２０２）。基地局装置１から移動局装置３に周波数ホッピングの可否を指示する情報を含む無線リソース制御信号を送信する（ステップＳ２０３）。移動局装置３は、基地局装置１から送信された無線リソース制御信号に含まれるＡ−ＳＲＳの設定情報に従って、Ａ−ＳＲＳの各種パラメータ（送信回数や周波数ホッピングの可否も含む）を設定する。さらに、基地局装置１からＡ−ＳＲＳの送信を指示する情報を含むＰＤＣＣＨが移動局装置３に送信された場合（ステップＳ２０４）、移動局装置３は、設定された送信回数に達するまでＡ−ＳＲＳを基地局装置１に送信する（ステップＳ２０５）。ここで、周波数ホッピングの可否を指示する情報で周波数ホッピング可と指示された場合は、移動局装置３は、Ａ−ＳＲＳの周波数ホッピングを行いながら送信回数に達するまでＡ−ＳＲＳを基地局装置１に送信する。ここで、Ａ−ＳＲＳにおける周波数ホッピング可とは、基地局装置がＡ−ＳＲＳの送信帯域幅を周波数ホッピング用の帯域幅より狭く設定した場合のことであり、移動局装置は、Ａ−ＳＲＳの送信帯域幅と周波数ホッピング用の帯域幅を比較して周波数ホッピングするか否かを判定する。ただし、Ａ−ＳＲＳの送信回数を指示する情報と周波数ホッピングの可否を指示する情報は、Ａ−ＳＲＳ設定情報に含まれていても良い。ここで、ＳＲＳ設定情報で設定されるパラメータとは、Ａ−ＳＲＳ送信のための送信帯域幅や送信周期、Ｐ−ＳＲＳ送信のための送信帯域幅や送信周期などである。また、Ａ−ＳＲＳを配置できる周波数領域（リソース領域）をｆ１とｆ２に分けた場合、移動局装置３は、Ａ−ＳＲＳを配置する周波数領域をｆ１とｆ２に切り替えながら基地局装置１に送信する。
【００７５】
Ａ−ＳＲＳを送信するサブフレームは、第１の実施形態で説明したものと同様であるため、ここでの説明は省略する。
【００７６】
Ａ−ＳＲＳを送信するコンポーネントキャリアは、第１の実施形態で説明したものと同様であるため、ここでの説明は省略する。
【００７７】
このように、本発明の第２の実施形態ではＰＤＣＣＨにＡ−ＳＲＳの送信を指示する情報が含まれている場合に、Ａ−ＳＲＳを周波数ホッピングしながら、所定の回数送信することができる。
【００７８】
本発明の第２の実施形態によれば、移動局装置３は、１回のＳＲＳ送信要求が通知されるだけで周波数ホッピングを設定することができ、効率的なＳＲＳの送信と周波数ホッピングを行うことができる。基地局装置１では、周波数ホッピングの効果によりチャネル測定精度が向上し、効率的な周波数選択スケジューリングを行うことができる。
【００７９】
＜第３の実施形態＞
次に第３の実施形態について説明する。第３の実施形態では、基地局装置１は、Ａ−ＳＲＳの送信回数を指示する情報を含めた無線リソース制御信号を移動局装置３に送信し、アンテナ選択を行うか否かを指示する情報を含めた無線リソース制御信号を移動局装置３に送信し、Ａ−ＳＲＳの送信を指示する情報を含めた物理下りリンク制御チャネルを移動局装置３に送信する。移動局装置３は、無線リソース制御信号に含まれるＡ−ＳＲＳの送信回数を指示する情報に従って、Ａ−ＳＲＳの送信回数を設定し、無線リソース制御信号に含まれるアンテナ選択を行うか否かを指示する情報に従って、アンテナ選択を行うか否かを設定し、物理下りリンク制御チャネルにＡ−ＳＲＳの送信を指示する情報が含まれている場合、基地局装置１にＡ−ＳＲＳに送信する。ここで、アンテナ選択とは、移動局装置３に複数の送信アンテナが設定されている場合に、基地局装置１は移動局装置３に対して上りリンク信号を送信するアンテナを予め指定したり、送信アンテナを切り替えて送信するように指示したりすることができることである。
【００８０】
第３の実施形態における機器の機能構成は、第１の実施形態において示したものと同様であるので、ここではその説明を省略する。第３の実施形態では、複数のアンテナを切り替えながらＡ−ＳＲＳを送信する場合の送信制御について示す。
【００８１】
図５は、本発明の第３の実施形態におけるＡ−ＳＲＳ送信のためのシグナリングの一例を示した図である。基地局装置１から移動局装置３にＡ−ＳＲＳ設定情報を含む無線リソース制御信号を送信する（ステップＳ３０１）。基地局装置１から移動局装置３にＡ−ＳＲＳの送信回数（例えば、送信回数５回）を指示する情報を含む無線リソース制御信号を送信する（ステップＳ３０２）。基地局装置１から移動局装置３にアンテナ選択の可否を指示する情報を含む無線リソース制御信号を送信する（ステップＳ３０３）。移動局装置３は、基地局装置から送信された無線リソース制御信号に含まれるＡ−ＳＲＳの設定情報に従って、Ａ−ＳＲＳの各種パラメータ（送信回数やアンテナ選択の可否も含む）を設定する。さらに、基地局装置１からＡ−ＳＲＳの送信を指示する情報を含むＰＤＣＣＨが移動局装置３に送信された場合（ステップＳ３０４）、移動局装置３は、設定された送信回数に達するまでＡ−ＳＲＳを基地局装置１に送信する（ステップＳ３０５）。ここで、アンテナ選択の可否を指示する情報でアンテナ選択可と指示された場合は、移動局装置３は、アンテナ選択を行いながら送信回数に達するまでＡ−ＳＲＳを基地局装置１に送信する。ただし、Ａ−ＳＲＳの送信回数を指示する情報とアンテナ選択の可否を指示する情報は、Ａ−ＳＲＳ設定情報に含まれていても良い。ここで、ＳＲＳ設定情報で設定されるパラメータとは、送信帯域幅や送信周期などである。また、アンテナ選択できる移動局装置３のアンテナをａｎｔ＃１、ａｎｔ＃２とした場合、移動局装置３は、ａｎｔ＃１とａｎｔ＃２を切り替えながらＡ−ＳＲＳを基地局装置１に送信する。
【００８２】
Ａ−ＳＲＳを送信するサブフレームは、第１の実施形態で説明したものと同様であるため、ここでの説明は省略する。
【００８３】
Ａ−ＳＲＳを送信するコンポーネントキャリアは、第１の実施形態で説明したものと同様であるため、ここでの説明は省略する。
【００８４】
このように、本発明の第３の実施形態ではＰＤＣＣＨにＡ−ＳＲＳの送信を指示する情報が含まれている場合に、移動局装置３は、アンテナ選択（切り替え）を行いながら、Ａ−ＳＲＳを所定の回数送信することができる。
【００８５】
本発明の第３の実施形態によれば、移動局装置３は、アンテナ選択を行うことで複数のアンテナからＡ−ＳＲＳを送信することができ、基地局装置１は、受信したＡ−ＳＲＳを使用してアンテナ毎のチャネル測定を行うことができるため、複数アンテナによる効率的なチャネル測定を行うことができる。また、基地局装置１は、移動局装置３に対してより通信状況の良い送信アンテナを選択できたり、複数のアンテナを使用した送信が必要なＭＩＭＯ（Multiple Input Multiple Output）通信へ切り替えたりすることができる。
【００８６】
なお、第１から第３の実施形態は組み合わせて使用しても良い。
【００８７】
なお、上述した実施形態における基地局装置１と移動局装置３の一部の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８８】
また、上述した実施形態における移動局装置３および基地局装置１の一部、または全部を典型的には集積回路であるＬＳＩ（Large Scale Integration）として実現しても良い。移動局装置３および基地局装置１の各機能ブロックは個別にチップ化しても良いし、一部、または全部を集積してチップ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００８９】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【００９０】
１  基地局装置
３  移動局装置
１０１  送信部（基地局側送信部）
１０３  受信部（基地局側受信部）
１０５  スケジューリング部
１０９  アンテナ
２０１  送信部（移動局側送信部）
２０３  受信部（移動局側受信部）
２０５  スケジューリング部
２０６  参照信号生成部
２０９  アンテナ
１０１１  データ制御部
１０１３  変調部
１０１５  無線送信部
１０３１  無線受信部
１０３３  復調部
１０３５  データ抽出部
１０７１  無線リソース制御部
２０１１  データ制御部
２０１３  変調部
２０１５  無線送信部
２０３１  無線受信部
２０３３  復調部
２０３５  データ抽出部
２０５１  参照信号制御部
２０７１  無線リソース制御部
【図１】
0005538930.tif 000002
【図２】
0005538930.tif 000003
【図３】
0005538930.tif 000004
【図４】
0005538930.tif 000005
【図５】
0005538930.tif 000006
【図６】
0005538930.tif 000007